(57)【要約】【課題】低頻度のメンテナンスで運用でき、被写体への照明光の変化による効果が高く、自然な照明がえられる写真撮影編集方法及びその装置を提案し、利用者の満足度向上と施設のメンテナンス業務効率化を図る。【解決手段】撮影空間内の一以上の被写体を照明手段で照明して撮影手段で撮影し撮影画像を作成する撮影処理を許容し、該撮影画像、又は／及び他の取得手段で取得の取得画像等の編集対象画像に、利用者が編集手段で編集して編集画像を作成する編集処理を許容し、所定の画像を出力手段で出力する写真撮影編集方法またはその装置に対して、前記照明手段を、照射光を照射する発光体と、入射する入射光の一部以上を透過する透過面状体とで形成し、前記照射光が前記透過面状体に前記入射光として入射する際の接触態様を変化可能にする接触態様可変手段を備えた。【選択図】    図２
2004246249.tif 000002
【特許請求の範囲】
【請求項１】
撮影空間内の一以上の被写体を照明手段で照明して撮影手段で撮影し撮影画像を作成する撮影処理を許容し、
該撮影画像、又は／及び他の取得手段で取得の取得画像等の編集対象画像に、利用者が編集手段で編集して編集画像を作成する編集処理を許容し、
所定の画像を出力手段で出力する写真撮影編集方法であって、
前記照明手段に、照射光を照射する発光体と、入射する入射光の一部以上を透過する透過面状体とを使用し、
接触態様可変手段で、前記照射光が前記透過面状体に前記入射光として入射する際の接触態様を変化許容する
写真撮影編集方法。
【請求項２】
前記接触態様可変手段に、前記透過面状体を変形する変形手段を使用する
請求項１記載の写真撮影編集方法。
【請求項３】
前記照明手段に、前記発光体の照射光を反射して該反射光を前記透過面状体に入射させる反射体を備えさせ、
前記接触態様可変手段として反射体可動手段を用いて、上記反射体を可動させる請求項１又は２記載の写真撮影編集方法。
【請求項４】
前記接触態様可変手段として、前記発光体を可動させる発光体可動手段を使用する
請求項１、２又は３記載の写真撮影編集方法。
【請求項５】
撮影空間内の一以上の被写体を照明手段で照明して撮影手段で撮影し撮影画像を作成する撮影処理を許容し、
該撮影画像、又は／及び他の取得手段で取得の取得画像等の編集対象画像に、利用者が編集手段で編集して編集画像を作成する編集処理を許容し、
所定の画像を出力手段で出力する写真撮影編集装置であって、
前記照明手段を、照射光を照射する発光体と、入射する入射光の一部以上を透過する透過面状体とで形成し、
前記照射光が前記透過面状体に前記入射光として入射する際の接触態様を変化可能にする接触態様可変手段を備えた
写真撮影編集装置。
【請求項６】
前記接触態様可変手段を、前記透過面状体を変形する変形手段で形成した
請求項５記載の写真撮影編集装置。
【請求項７】
前記照明手段に、前記発光体の照射光を反射して該反射光を前記透過面状体に入射させる反射体を備え、
前記接触態様可変手段を、上記反射体を可動させる反射体可動手段で形成した
請求項５又は６記載の写真撮影編集装置。
【請求項８】
前記接触態様可変手段を、前記発光体を可動させる発光体可動手段で形成した請求項５、６又は７記載の写真撮影編集装置。
【発明の詳細な説明】
【０００１】
【発明の属する技術分野】
この発明は、例えば被写体を照明して撮影した画像を編集して印刷するような写真撮影編集に関する。
【０００２】
【従来の技術】
従来、高性能のデジタルカメラを使用して撮影し、撮影した撮影画像に対して利用者が入力ペン又は指でタッチパネルにタッチし、ペンツールやスタンプツールといったアイテムツールを使用して文字や図形を書き込む等の任意の編集を許容し、出来上がった編集画像をシール紙に印刷する写真シール作成装置が存在する。
【０００３】
このような写真シール作成装置では、ペンツールやスタンプツールとして多種類のアイテムやメニューを提供し、各種ツールの太さ、大きさ、形、色等が細かく変更できるように設定している。これにより、利用者は凝った内容の落書き編集ができるようになっている。
【０００４】
近年では、被写体に対する撮影時の照明に変化を加え、照明による演出効果を加えるものとして、撮影時における照明光源を複数から選択的に発光させ、ユーザの瞳に照明光源が映り込む特殊な演出効果を得られるものが提案されている（特許文献１参照）。
【０００５】
【特許文献１】
特開２００２−５６４５７号公報。
【０００６】
【発明が解決しようとする課題】
しかし、複数の照明光源を備えると、製造コストが増加すると共に、電球切れによる交換作業が頻繁に発生し、メンテナンス頻度が高くなる問題があった。  また、照明光源を増加させると、各照明光源の発光面が小さくなり、均一的な自然な照明が得られずスポットライト的な不自然な照明となる問題もあった。
【０００７】
この発明は、上記の問題に鑑みて、低頻度のメンテナンスで運用でき、被写体への照明光の変化による効果が高く、自然な照明が得られる写真撮影編集方法及びその装置を提案し、利用者の満足度向上と施設のメンテナンス業務効率化を図ることを目的とする。
【０００８】
【課題を解決するための手段】
この発明は、撮影空間内の一以上の被写体を照明手段で照明して撮影手段で撮影（撮像）し撮影画像を作成する撮影処理を許容し、該撮影画像、又は／及び他の取得手段で取得の取得画像等の編集対象画像に、利用者が編集手段で編集して編集画像を作成する編集処理を許容し、所定の画像を出力手段で出力する写真撮影編集方法またはその装置であって、前記照明手段に、照射光を照射する発光体と、入射する入射光の一部以上を透過する透過面状体とを使用し、接触態様可変手段で、前記照射光が前記透過面状体に前記入射光として入射する際の接触態様を変化許容する写真撮影編集方法またはその装置であることを特徴とする。
【０００９】
前記撮影空間は、撮影用に利用者に提供する空間を指し、前記撮影手段で撮影可能な範囲の空間、又は、背景部材や出入り口部材等の周景部材で囲繞（若しくは略囲繞）した空間で構成することを含む。
前記撮影手段は、デジタルカメラ又はデジタルビデオカメラで構成することを含む。
前記編集手段は、利用者にタッチペン又は指でタッチされた座標を取得するタッチパネルやマウス等のポインティングデバイス（座標入力手段）で構成することを含む。
【００１０】
前記他の取得手段は、カメラ付き携帯電話やノートパソコン等の携帯情報端末と通信する通信手段、フレキシブルディスクや不揮発性メモリ媒体等の記憶媒体に記憶の情報を読取る記憶媒体読取手段、写真や絵画等の実画像をスキャニングするスキャナ等、画像データを取り込み可能なデータ取込手段で構成することを含む。
【００１１】
前記発光体は、ストロボ発光するストロボ照明装置（閃光装置）、又は／及び、蛍光灯や白熱灯等の連続照明装置で構成することを含む。
【００１２】
前記透過面状体は、板状体、又は、半透明又は透明な幕体等、光を一部以上透過する部材で構成することを含む。
上記板状体は、樹脂部材やガラス部材等の半透明又は透明の板部材で形成することを含む。
上記幕体は、ゴム幕又は伸縮性布幕（ストレッチ布）等、幕状（布状）の伸縮部材で形成することを含む。
【００１３】
前記接触態様可変手段は、後述する変形手段、反射体可動手段、又は発光体可動手段等、前記照射光が前記入射光として透過面状体に入射する際の接触態様を変化可能にする手段で構成することを含む。
【００１４】
前記取得画像は、通信手段又は記憶媒体読取手段等のデータ取込手段で取得する画像、すなわち個人用デジタルカメラでの撮影やパソコンでのグラフィック制作等によるデジタル画像や、写真や絵画等の実画像をスキャナでスキャニングしたスキャニング画像で構成することを含む。
【００１５】
前記所定の画像は、前記撮影画像、前記デジタル画像、又は前記スキャニング画像等の編集前の画像、又はこれら編集前の画像を編集手段で編集した編集画像、又は、前記編集前の画像又は／及び前記編集画像から選択された複数の画像で構成することを含む。
【００１６】
前記出力手段は、インクジェットプリンタ、昇華型熱転写プリンタや溶融型熱転写プリンタ等の熱転写プリンタ、又はレーザプリンタ等、モノトーン、セピア（ｓｅｐｉａ）トーン又はカラー等で画像を印刷媒体に印刷する印刷手段、画像データを送信する通信手段、又は画像データを記憶媒体に書き込む記憶媒体リーダ／ライタで構成することを含む。
【００１７】
上記印刷媒体は、印刷可能層の裏側に粘着層を備えたシール紙（シール媒体）等、貼付可能媒体で構成することを含む。
該シール紙は、印刷可能層の裏側に粘着層を備えたシール媒体等、貼付可能媒体で構成することを含む。
【００１８】
前記写真撮影編集装置は、前記出力手段を印刷手段で構成して写真シールを出力する写真シール作成装置で構成することを含み、同様に写真撮影編集方法は写真シール作成方法とすることを含む。
【００１９】
この発明の態様として、前記接触態様可変手段に、前記透過面状体を変形する変形手段を使用することができる。
前記変形手段は、後述する変形可動装置又は流体量変更装置等、透過面状体を変形させる装置で構成することを含む。
【００２０】
上記変形可動装置については、前記透過面状体を適度な柔軟性を有するプラスチックやゴムといった樹脂部材等、柔軟部材で形成しておき、該透過面状体の１端とその対向端を押し付け又は引き伸ばしして湾曲させる端部平行移動装置等、力の加重によって変形させる装置で構成することを含む。
【００２１】
上記流体量変更装置については、前記透過面状体を伸縮性のある幕体で形成し、該幕体と他の周囲部材によって前記照明手段に密閉空間を形成しておき、上記密閉空間内に存在する流体の量を変更する流体入出ポンプ等、流体の量を変更する装置で構成することを含む。
【００２２】
なお、上記流体は、気体（例えば空気）又は液体（例えば水）で構成することを含む。
また、前記周囲部材には、白色や銀色や金属メッキ等の表面（内面）を有する反射部材を使用する、単に金属部材や樹脂部材等の非反射部材を使用する、又は、上記反射部材と上記非反射部材とを組み合わせて使用することを含む。また該周囲部材は、伸縮性のある部材で形成しても良いが、伸縮性のない板材等の部材で形成することが望ましい。
【００２３】
またこの発明の態様として、前記照明手段に、前記発光体の照射光を反射して該反射光を前記透過面状体に入射させる反射体を備えさせ、前記接触態様可変手段として反射体可動手段を用いて、上記反射体を可動させることができる。
【００２４】
前記反射体は、反射面を白色又は銀色等の色に塗装する、反射面に金属メッキ等のメッキ処理をする、又は鏡で構成するなど、光を反射する部材で形成することを含む。
前記反射体可動手段は、反射体を移動するベルトとモータ等の移動装置、又は反射体を枢動させるモータ等の回転装置等、反射体を可動させる可動装置で構成することを含む。
【００２５】
前記可動は、水平移動、鉛直移動、直線移動、曲線移動、回転移動、又は自由移動等の移動、又は枢動、若しくはこれらの組み合わせに設定することを含む。
【００２６】
またこの発明の態様として、前記接触態様可変手段として、前記発光体を可動させる発光体可動手段を使用することができる。
前記発光体可動手段は、発光体を移動するベルトとモータ等の移動装置、又は発光体を枢動させるモータ等の回転装置等、反射体を可動させる可動装置で構成することを含む。
【００２７】
該発光体の移動は、複数の区画（例えば上部区画から中部区画を通過して下部区画まで、あるいは左部区画から中央部区画を介して右部区画まで等）に渡って、選択的又は連続的に移動する構成を含む。
【００２８】
【発明の効果】
この発明により、切替え用の発光体を複数備えずとも、照明効果を自由に変更することができ、利用者の満足度向上と施設のメンテナンス軽減を図ることができる。
【００２９】
【発明の実施の形態】
この発明の一実施形態を以下図面と共に説明する。
図１は、写真シール作成機１の外観の斜視図を示す。写真シール作成機１は、ボックス状の枠体３で囲繞した撮像空間５の正面奥側に筐体４を備えており、前記枠体３の上辺からは、側面及び正面にカーテン２（右側面は一部図示省略）を吊るして、撮像空間５を外界から隔離している。
【００３０】
前記筐体４には、正面中央に前下がりの傾斜部を形成し、該傾斜部にモニタ１４を備える。該モニタ１４にはタッチパネル１５ａを重ねて設け、その左右に備えたタッチペン１５ｂ，１５ｂで該タッチパネル１５ａをタッチさせて、利用者の入力を許容する。
【００３１】
前記傾斜部の上方の鉛直部には、中央にデジタルカメラ１２を備え、該デジタルカメラの左右にストロボ発光する照明ユニット１３，１３を配設する。なお、該照明ユニット１３は、図１のＡでの断面図である図２の（Ａ）の右側面断面図に示すようにボックス状に形成する。
【００３２】
該照明ユニット１３の正面（図示左側）は、白色半透明で伸縮性のあるゴム材で形成した拡散幕１３３で構成し、背面（図示右側）は内側の放物面（パラボラ型の半球面）を白色塗装した曲面反射板１３５で構成し、他の面は内側を白色塗装した平面反射板１３４で構成する。これにより、拡散幕１３３、平面反射板１３４、及び曲面反射板１３５で密閉空間６を形成している。
【００３３】
該密閉空間６の内部には、照明光の照射方向を背面側に向けた閃光管照明装置（ストロボ照明装置）１３２を固着している。上記密閉空間６の下方には空気ポンプ１３６を備えており、該空気ポンプ１３６から突出させた空気往復口１３６ａを、前記平面反射板１３４の底面から密閉空間６に突出させている。これにより、密閉空間６と空気ポンプ１３６で空気の往復を可能とし、空気ポンプ１３６で密閉空間６の空気を排気（排出）及び吸気（吸引）を実行する。
【００３４】
また、閃光管照明装置１３２で奥側に向かって照射する照射光を前記反射板で反射し、その反射光を拡散板で拡散することで閃光の強烈なコントラストをやわらげ、撮像時（撮影時）に当該やわらげたコントラストで主に被写体を照明する。
図１に示した前記傾斜部の下方正面には、硬貨の投入を許容するコイン投入口１６ａを備え、筐体４の右側面下部には、作成した写真シールシートを排出する写真シール排出口１８ａを備える。
【００３５】
以上の構成により、空気ポンプ１３６によって密閉空間６内へ空気を吸気すると、図２の（Ａ）に示したように拡散幕１３３が撮像空間側へ膨らんで湾曲し、空気ポンプ１３６で密閉空間６の空気を排気すると、図２の（Ｂ）に示したように拡散幕１３３が自己の弾性力で復元して平面となる。
【００３６】
これにより、図２に仮想線で示しているように、拡散幕１３３に対して閃光管照明装置１３２の照射光が入射する際の入射角度（接触態様）が変更可能となり、拡散幕１３３を透過した透過光の照明方向に変化が現れる。
【００３７】
次に、図３に示す回路ブロック図と共に、写真シール作成機１の制御回路について説明する。
制御装置１１は、ＣＰＵ，ＲＯＭ，及びＲＡＭを内蔵して各装置の制御を実行し、該制御装置１１に接続して以下の各装置を備える。なお、制御装置１１は、記憶装置２１に格納したプログラムに従って各処理を実行し、前記空気ポンプ１３６による密閉空間６内の空気の吸排制御も実行する。
【００３８】
デジタルカメラ１２は、制御装置１１からのシャッタ信号を受けて撮像を実行し、該撮像時にシャッタのトリガ信号を出力する。該撮像による撮像画像は静止画データで、また撮像前のプレビュー画像は動画データで、それぞれ画像データとして制御装置１１に送信する。また設定信号を受信し、設定値の変更等を実行する。
【００３９】
蛍光灯照明装置１３１は、制御装置１１からの点灯制御信号に従って点灯／消灯を実行する。なお、光調（光度又は／及び色相）を変更可能な蛍光灯照明装置で構成した場合には、制御装置１１からの光調調整信号に従った光調で照明を実行する。
【００４０】
閃光管照明装置１３２は、制御装置１１からの閃光制御信号に従って閃光の出力（ストロボ発光）を実行する。なお、光調（光度又は／及び色相）を変更可能な閃光管照明装置で構成した場合には、制御装置１１からの光調調整信号に従った光調で閃光の出力を実行する。
【００４１】
空気ポンプ１３６は、制御装置１１からの吸排制御信号に従って、密閉空間６（図２）内の空気の排出、及び密閉空間６内に空気の吸入を実行する。
【００４２】
モニタ１４は、制御装置１１からの画像信号に従って、プレビュー、撮像画像、画像編集時のペンツールやスタンプルール等のアイテム画像等、必要な画像を表示する。
【００４３】
入力装置１５は、前述のタッチパネル１５ａ（図１）とタッチペン１５ｂで構成し、利用者にタッチペン１５ｂでタッチされた座標を入力信号として制御装置１１に送信する。
【００４４】
貨幣処理装置１６は、前述のコイン投入口１６ａ（図１）の内部に位置して設けており、該コイン投入口１６ａから投入された硬貨等のコインの真偽判別及び金種判別を実行する。該真偽判別及び金種判別が正であれば、プレイを開始する起動信号を制御装置１１に送信する。
【００４５】
ＩＤタグリーダ／ライタ１７は、次に説明するプリンタ１８に近接して設けており、制御装置１１の更新信号に従ってシール紙ユニット３０（後述）に備えたＩＤタグ３１に印刷残回数などの設定データを記憶させる。
【００４６】
また、読出信号として前記ＩＤタグ３１に記憶のＩＤナンバーや印刷残回数などの設定データを制御装置１１に送信し、シール紙ユニット３０の適否判断を可能にする。これにより、この実施形態の写真シール作成機１に適さないシール紙３２が使用されることを防止している。
【００４７】
上記シール紙ユニット３０は、ロール状のシール紙（印刷用紙）３２とその側面に一体に備えたＩＤタグ３１で構成する。該ＩＤタグ３１は、制御装置と記憶装置とを内蔵したＩＣチップ、及びアンテナで構成し、シール紙ユニットのＩＤナンバーや印刷残回数等の情報を、前記ＩＤタグリーダ／ライタ１７との無線通信によって読書き可能に構成している。
【００４８】
プリンタ１８は、制御装置１１からプリント画像データ（印刷用画像）を受信し、該プリント画像をシール紙３２に印刷して作成した写真シールシートを、写真シール排出口１８ａ（図１）から排出する。
記憶装置２１は、通常（デフォルト）の照明光度やプレイ料金等の各種設定データ、及び必要なプログラムを記憶する。
【００４９】
以上の回路構成により、制御装置１１の制御に従って密閉空間６内の空気の排気及び吸気が実行でき、拡散幕１３３の湾曲度を変更することができる。該湾曲度によって変化のある照明光を得た上で、デジタルカメラ１２で撮像し、入力装置１５で編集して、写真シールシートを取得することができる。
【００５０】
次に、図４に示す写真シール作成機１の制御装置１１の処理フロー図と共に、写真シール作成機１の動作について説明する。
利用者によってコイン投入口１６ａ（図１）から所定枚数のコインが投入されると（ステップｎ１）、制御装置１１は、後述する撮像処理を実行する（ステップｎ２）。
【００５１】
該撮像処理で取得した撮像画像に対して、制御装置１１は編集処理を実行し、利用者による画像編集を許容する（ステップｎ３）。
該編集処理では、ラメペンや縁取りペン等のペンツール、のびのびスタンプやマジックスタンプ等のスタンプツール、及びクロマキー合成を利用した塗りつぶし処理を駆使して、利用者が自由に画像を編集することができる。
【００５２】
なお、前記ラメペンとは、きらきらと光る線がフリーハンドで描けるツールを指し、前記縁取りペンとは、中心色に対して他の色で縁取りした線がフリーハンドで描けるツールを指す。
【００５３】
また、前記のびのびスタンプとは、予め用意されたスタンプ画像を用いて、モニタ１４の画面上のタッチパネル１５ａに対し、利用者がタッチペン１５ｂでタッチしてから離すまでの軌跡に沿って伸びる形状のツールを指す。
【００５４】
また、前記マジックスタンプとは、編集している撮像画像の被写体や、前記撮像処理で撮像した別の撮像画像の被写体をスタンプのように貼り付けできるツールを指す。
また、クロマキー処理とは、特定色とその近似色の部分に対して、風景画像や幾何学模様等、予め用意した画像や色に塗りつぶす処理を指す。
【００５５】
このようにして編集された編集画像を、制御装置１１は所定の大きさ及び枚数で配置し（利用者に配置を選択させても良い）、配置後のプリント画像データをプリンタ１８に送信して印刷処理を実行する（ステップｎ４）。
【００５６】
該印刷処理で印刷された写真シールシートは、写真シール排出口１８ａ（図１）から排出する（ステップｎ５）。
【００５７】
前記撮像処理では、図５の制御装置１１の処理フロー図に示すように、まずモニタ１４（図１）に被写体を動画でプレビュー表示する（ステップｐ１）。
所要時間（例えば９０秒等の制限時間）が経過すれば、ステップｐ８にスキップし（ステップｐ２）、それまでは利用者に対してホットスポットモードの選択を許容する（ステップｐ３）。
【００５８】
利用者によってホットスポットモードが「強」に設定された場合には、空気ポンプ１３６で密閉空間６内の空気を排気して、図２の（Ｂ）に示したように発光面である拡散幕１３３を平面状態にする（ステップｐ４）。
【００５９】
利用者によってホットスポットモードが「弱」に設定された場合には、空気ポンプ１３６で密閉空間６内に空気を吸気して、図２の（Ａ）に示したように発光面である拡散幕１３３を撮像空間５側へ凸となる曲面状態（湾曲状態）にする（ステップｐ５）。
【００６０】
所要時間（例えば３０秒等の制限時間）が経過すれば、ステップｐ８にスキップし（ステップｐ６）、それまでは撮像ボタン（モニタ１４に表示）が利用者にタッチされるまで待機する（ステップｐ７）。
【００６１】
撮像ボタンがタッチされるか（ステップｐ７）、所要時間が経過すると（ステップｐ３，６）、制御装置１１はモニタ１４に数字を表示して数値を小さくしていくカウントダウン表示を実行する（ステップｐ８）。
【００６２】
制御装置１１は、閃光管照明装置１３２の閃光とデジタルカメラ１２のシャッタによる撮像を実行し（ステップｐ９）、モニタ１４に撮像した撮像画像を表示して利用者に確認させる（ステップｐ１０）。
【００６３】
利用者によって確認ＯＫボタン（モニタ１４上に表示）がタッチされると撮像処理を終了し、撮り直しボタン（モニタ１４上に表示）がタッチされるとステップｐ１にリターンする（ステップｐ１１）。
【００６４】
以上の動作により、利用者は照明ユニット１３によって好みに照明調整を行った撮像画像を取得することができる。すなわち、ホットスポットモードを「強」として撮像した場合には、図２の（Ｂ）に示したように拡散幕１３３が平面状態となり、被写体に対する閃光管照明装置１３２の照射光の集中度が高まると共に水平成分が多くなる。これにより、水平方向の照明で影となる部分の陰影が強調され、シャープな撮像画像を取得することができる。
【００６５】
また、ホットスポットモードを「弱」にして撮像した場合は、図２の（Ａ）に示したように拡散幕１３３が凸状の曲面状態となり、被写体に対する閃光管照明装置１３２の照射光が拡散すると共に水平成分が少なくなる。これにより、拡散光が増加して水平方向の照明で影となる部分の陰影が弱まり、陰影が少なくやわらかで肌の美しい撮像画像を取得することができる。
【００６６】
すなわち、発光面が凸型球面であることで、光源面の光量を均一にする効果を高め、理想の陰影を演出することができる。
【００６７】
また、反射面である曲面反射板１３５がパラボラ型となっていることで、閃光管照明装置１３２の照射光を拡散光に変えた上で効率よく発光面（拡散幕１３３）に供給することができる。
【００６８】
すなわち、照射光をパラボラ構造の反射面で集約した形で反射することができ、拡散光でありながら光量的な損失を最小限に抑えることができる。このパラボラ構造の曲面反射板１３５の大きさや反射角度を調整することで、照明効果を出したい部分に対して適確かつ理想的に照明することができる。
【００６９】
これにより、発光面全体を均一に発光させることができ、撮像画像の描写を美しくすることができる。
【００７０】
以上の実施形態により、図６の写真シールシート３３の平面図に示すように、利用者はホットスポットモードを「弱」にして写真シール３４ａのようにやわらかにかわいく撮像する、あるいは、ホットスポットモードを「強」にして写真シール３４ｂのようにシャープにかっこよく撮像するなど、撮像目的や撮像状況（シチュエーション）に応じて撮像画像の雰囲気を使い分けることができる。
【００７１】
なお、この実施形態ではホットスポットモードを２段階としたが、多段階に設定可能に構成する、あるいは連続的に変更可能に設定しても良い。
また、編集処理で使用できるコンテンツ（ペンツール、スタンプツール、及びクロマキー合成等）にホットスポットモードの違いに対応したコンテンツを用意しても良い。
【００７２】
この場合は、利用者に選択されたホットスポットモードに対応したコンテンツを編集処理で使用可能にする、あるいは、選択されたホットスポットモードに係わらず様々なコンテンツを編集処理で使用可能にすることができる。
【００７３】
このようなホットスポットモードに対応したコンテンツとしては、ホットスポットモードの「強」に対しては鋭角的なアイテムやコントラストのはっきりしたアイテムを用意し、ホットスポットモードの「弱」に対しては、曲線的なアイテムや輪郭のやわらかいアイテムを用意すると良い。
【００７４】
これにより、一台の写真シール作成機１でホットスポットモードに応じて雰囲気が全く異なる写真シールを取得でき、従来では写真シール作成機１が同一機種であれば同様の撮像結果になっていた問題を回避して、リピート客の増加を図ることができる。
【００７５】
また、拡散幕１３３を変形してホットスポットモードの違いを実現しているため、閃光管照明装置１３２を複数設置して頻繁にメンテナンスすることでの作業員経費や営業機会損失を防止し、利用者を待たせることなく快適な利用環境を提供することができる。
【００７６】
なお、拡散幕１３３が平面状態となってもさらに空気ポンプ１３６で密閉空間６内の空気を排出し、拡散幕１３３を凹状の曲面状態とできるように設定しても良い。この場合は、さらにホットスポットを強くして（これをホットスポットモード「最強」とする）、光の集中度合いを高めることができ、照明ユニット１３をスポットライトのように利用することも可能となる。
【００７７】
また、好ましくはプレビュー表示で利用者が確認しながらホットスポットモードの強弱を連続的に変更可能に設定しても良い。これにより、利用者の細やかな感覚での好みを忠実に反映することができ、利用者の満足度を向上させることができる。
【００７８】
次に、第２の実施形態として、図７に示す説明図、及び図８に示す制御装置１１の処理フロー図と共に、閃光管照明装置１３２を上下動させるタイプの写真シール作成機１Ｂについて説明する。なお、上述した実施形態１のタイプについては写真シール作成機１Ａとする。
【００７９】
該写真シール作成機１Ｂでは、写真シール作成機１Ａの筐体４に備えた照明ユニット１３が一部異なっており、拡散幕１３３（図２）に替えて拡散板１３３Ｂを備えている。
【００８０】
該拡散板１３３Ｂは、上部、中部、下部の３部分で構成し、上部は正面を下方へ向けて傾斜させて備え、中部は鉛直に備え、下部は正面を上方へ向けて傾斜させて備える。
【００８１】
照明ユニット１３の内部には、ガイドレール１３７ｂと該ガイドレール１３７ｂに沿って上下動する駆動部１３７ａで形成する閃光管駆動装置１３７を備える。
【００８２】
前記駆動部１３７ａには、照明方向を後方（図示右側）に設定した閃光管照明装置１３２を備える。該閃光管照明装置１３２には、電源ケーブル１３２ａの一端を接続し、該電源ケーブル１３２ａの他端は、筐体４の背面に備えた電源部１３２ｂに接続する。
【００８３】
写真シール作成機１Ｂの制御回路としては、図３に示した回路ブロック図内の空気ポンプ１３６に替えて、仮想線に示す閃光管駆動装置１３７を制御装置１１に接続する。
【００８４】
該閃光管駆動装置１３７は、制御装置１１から駆動制御信号を受信し、駆動部１３７ａに内蔵する正逆転モータ（パルスモータ）を駆動して上下動を実行する。
【００８５】
以上の構成により、図７の（Ｃ）、（Ｄ）及び（Ｅ）の側面断面図に示すように、閃光管照明装置１３２を上下動することができ、拡散板１３３Ｂに対する照明光の接触態様として照射位置及び入射角度を変更して、様々な照明光を拡散板１３３Ｂから照射することができる。
【００８６】
なお、図では省略しているが前記閃光管照明装置１３２には蛍光灯照明装置１３１を下部に併設しており、プレビュー表示での照明イメージの確認を可能にしている。
【００８７】
次に、図８に示す制御装置１１の処理フロー図と共に、写真シール作成機１Ｂの動作について説明する。
全体の処理は、図４に示した処理フロー図と同一であり、撮像処理のみを変更する。
【００８８】
撮像処理を開始すると、制御装置１１は、モニタ１４に被写体をプレビュー表示する（ステップｒ１）。
【００８９】
所要時間が経過すると（ステップｒ２）、ステップｒ１２にスキップし、所要時間内であれば、利用者に撮像モードを選択させる撮像モード選択画面をモニタ１４に表示する（ステップｒ３）。
【００９０】
該撮像モード選択画面では、利用者に「美髪」モードが選択されると、閃光管照明装置１３２の移動先を図７の（Ｃ）に示した上部に設定する（ステップｒ４）。同様に、「超美白」モードが選択されると、閃光管照明装置１３２の移動先を図７の（Ｄ）に示した中部に設定し（ステップｒ５）、「ホラー」モードが選択されると、閃光管照明装置１３２の移動先を図７の（Ｅ）に示した下部に設定する（ステップｒ６）。
【００９１】
制御装置１１は、閃光管駆動装置１３７を駆動させて閃光管照明装置１３２の移動を開始し（ステップｒ７）、モニタ１４に被写体をプレビュー表示する（ステップｒ８）。
【００９２】
所要時間が経過するか（ステップｒ２，ｒ９）、所要時間内に移動が完了するか（ステップｒ１０）、利用者に移動ストップボタン（モニタ１４に表示）がタッチされれば（ステップｒ１１）、制御装置１１はモニタ１４にカウントダウン表示を行う（ステップｒ１２）。
【００９３】
制御装置１１は、閃光管照明装置１３２を発光させて照明ユニット１３の照明光を得た撮像をデジタルカメラ１２で実行する（ステップｒ１３）。
【００９４】
制御装置１１は、モニタ１４に撮像画像を表示して利用者に確認させ（ステップｒ１４）、モニタ１４に表示した確認ＯＫボタンが利用者によってタッチされると撮像処理を終了し（ステップｒ１５）、取り直しボタンがタッチされるとステップｒ１にリターンする。
【００９５】
以上の動作により、利用者は上部、中部及び下部の３つの区間で閃光管照明装置１３２を移動させ、図７の（Ｃ）に示した上部からの照明で頭髪の質感を明瞭に美しく撮像できる美髪モード、図７の（Ｄ）に示した中央全体からの照明で略均一に全体を美しく撮像する超美白モード、及び図７の（Ｅ）に示した下部からの照明でホラー調に撮像するホラーモードを選択することが可能となり、アミューズメント性を向上することができる。
【００９６】
なお、拡散版１３３Ｂは、上部、中部及び下部で各々の拡散度合いを変える、又は各々の面形状を平面や曲面等として異ならせる、あるいは各々の拡散度合い及び面形状を異ならせるようにして構成しても良い。
【００９７】
例えば、下部からの指向性を強くするため、下部をマット状ではなく凹型に湾曲させた発光面で構成すれば、利用者の顔面の陰影を強調し、ホラー効果をより明確に演出することができる。
【００９８】
また、図９の説明図に示すように移動方向を水平に設定しても良い。この場合は、図中の（Ｆ）の平面断面図に示す「グラビア左」、（Ｇ）に示す「アップ撮像」、（Ｈ）に示す「グラビア右」の各撮像モードを設定する。
【００９９】
これにより、横方向に照明の変化がある撮像画像の提供を可能とすることができ、縦方向の変化とは異なったアミューズメント性を提供することができる。
【０１００】
なお、これら第２の実施形態では撮像モードを３段階としたが、閃光管照明装置１３２の位置を多段階に設定可能に構成しても良く、あるいは連続的に変更可能に設定しても良い。
また、編集処理で使用できるコンテンツ（ペンツール、スタンプツール、及びクロマキー合成等）に撮像モードの違いに対応したコンテンツを用意しても良い。
【０１０１】
この場合は、利用者に選択された撮像モードに対応したコンテンツを編集処理で使用可能にする、あるいは、選択された撮像モードに係わらず様々なコンテンツを編集処理で使用可能にすることができる。
【０１０２】
このような撮像モードに対応したコンテンツとしては、例えば撮像モードの「ホラー」に対しては、人魂や幽霊などのホラーアイテム等を用意し、撮像モードの「美髪、超美白」に対しては、フルーツや動物等の通常アイテムを用意すると良い。
【０１０３】
これにより、一台の写真シール作成機１で撮像モードに応じて雰囲気が全く異なる写真シールを取得でき、従来では写真シール作成機１が同一機種であれば同様の撮像結果になっていた問題を回避して、リピート客の増加を図ることができる。
【０１０４】
また、閃光管照明装置１３２を移動して撮像モードの違いを実現しているため、閃光管照明装置１３２を複数設置して頻繁にメンテナンスすることでの作業員経費や営業機会損失を防止し、利用者を待たせることなく快適な利用環境を提供することができる。
【０１０５】
また、好ましくはプレビュー表示で利用者が確認しながら、閃光管照明装置１３２の位置を連続的に変更可能に設定しても良い。これにより、閃光管照明装置１３２が移動中に連続してプレビュー確認できるため、利用者の細やかな感覚での好みを忠実に反映することができ、利用者の満足度を向上させることができる。
【０１０６】
次に、第３の実施形態として、図１０又は図１１に示す説明図と共に、曲面反射板１３５を移動させるタイプの写真シール作成機１Ｃについて説明する。
この実施形態では、筐体４の外観としては、第１の実施形態で用いた写真シール作成機１の拡散幕１３３を拡散板１３３Ｃに替えて構成する。
【０１０７】
照明ユニット１３には、前記拡散板１３３Ｃに対向させて曲面反射板１３５を前後に移動可能に備えている。
【０１０８】
該曲面反射板１３５の前後移動は、モータ１３８ａによって回転する回転軸１３８ｂ，１３８ｂに張架したベルト１３８ｃで構成する反射板駆動装置１３８で実行する。すなわち、上記ベルト１３８ｃの一部を前記曲面反射板１３５の下端に連結しており、モータ１３８ａによるベルト１３８ｃの回転によって前記曲面反射板１３５が前後移動する。
【０１０９】
写真シール作成機１Ｃの制御回路としては、図３に示した回路ブロック図内の空気ポンプ１３６に替えて、仮想線に示す反射板駆動装置１３８を制御装置１１に接続する。
【０１１０】
該反射板駆動装置１３８は、制御装置１１からの駆動制御信号によって、モータ１３８ａを回転させて曲面反射板１３５を前後移動する動作を実行する。
【０１１１】
以上の構成により、拡散板１３３Ｃに対する入射光の接触態様として、入射角度（入射方向）及び照明範囲を変更することができる。
すなわち、曲面反射板１３５を前方に移動した場合は、図１０の（Ｉ）の側面断面図に示すように、閃光管照明装置１３２から近い位置で曲面反射板１３５によって照射光を反射し、拡散しきらず中央に集光した照明を得ることができる。
【０１１２】
曲面反射板１３５を後方に移動した場合には、図１０の（Ｊ）の側面断面図に示すように、閃光管照明装置１３２から遠い位置で曲面反射板１３５によって照射光を反射し、十分に拡散して全体的に平行な照明を得ることができる。
【０１１３】
この第３の実施形態の動作としては、第１の実施形態とほぼ同一であり、図５と共に説明した撮像処理において、ステップｐ３を「集光度」に変更して一点強調照明か全体均一照明かを利用者に選択させ、ステップｐ４を「曲面反射板を被写体側へ移動」に変更して曲面反射板１３５を被写体側（前方）に移動し、ステップｐ５を「曲面反射板を被写体から離す方向へ移動」に変更して曲面反射板１３５を被写体から離す方向へ移動すること以外は同一である。
【０１１４】
以上の動作により、利用者の希望する集光度に応じた撮像画像を提供することができ、利用者の満足度を向上させることができる。
【０１１５】
なお、上記第３の実施形態では、図１１に示すように曲面反射板１３５を斜平面反射板１３５ａに変更し、上下に移動させるように構成しても良い。
この場合の斜平面反射板１３５ａは、正面側を下方に向けて傾斜させ、閃光管照明装置１３２を照明ユニット１３の後方下部に照明方向を上向きに設定して備える。
【０１１６】
これにより、撮像時に使用する拡散板１３３Ｃの表面積を変化させることができ、図１１の（Ｋ）に示したように斜平面反射板１３５ａを上方へ移動させた場合には、拡散板１３３Ｃの発光面積が拡大すると共に被写体を照射する照明光の拡散度も強くなる。
【０１１７】
また、（Ｌ）に示したように、斜平面反射板１３５ａを下方へ移動させた場合には、拡散板１３３Ｃの発光面積が縮小すると共に被写体を照射する照明光の拡散度も弱くなり、逆に指向性が強くなる。
【０１１８】
以上の構成及び動作により、利用者は照明の拡散度の強弱、及び照明光により照明される面積を変更することが可能となる。これにより、利用者の満足度を向上させることができる。
【０１１９】
なお、これら第３の実施形態においても、第１の実施形態と同様、曲面反射板１３５又は斜平面反射板１３５ａの移動を多段階に設定可能に構成する、あるいは連続的に変更可能に設定しても良い。
また、編集処理で使用できるコンテンツに集光度の違いに対応したコンテンツを用意しても良い。
【０１２０】
これにより、一台の写真シール作成機１で集光度に応じて雰囲気が全く異なる写真シールを取得でき、従来では写真シール作成機１が同一機種であれば同様の撮像結果になっていた問題を回避して、リピート客の増加を図ることができる。
【０１２１】
また、曲面反射板１３５又は斜平面反射板１３５ａを移動して集光度の違いを実現しているため、閃光管照明装置１３２を複数設置して頻繁にメンテナンスすることでの作業員経費や営業機会損失を防止し、利用者を待たせることなく快適な利用環境を提供することができる。
【０１２２】
また、好ましくはプレビュー表示で利用者が確認しながら集光度の強弱を連続的に変更可能に設定しても良い。これにより、利用者の細やかな感覚での好みを忠実に反映することができ、利用者の満足度を向上させることができる。
【０１２３】
次に、図１２に示す斜視図、及び図１３に示す処理フロー図と共に、第４の実施形態の写真シール作成機１Ｄについて説明する。
この実施形態では、照明ユニット１３に照明フィルタ装置（照明光形状変更手段）１３９を組み込んで形成する。
【０１２４】
該照明フィルタ装置１３９は、閃光管照明装置１３２を中心に幅方向に架設した枢軸１３９ｄを軸心として、円筒形（ドラム状）のフィルタドラム１３９ｃを適宜のモータで回転可能に形成している。
【０１２５】
前記フィルタドラム１３９ｃは、黒色で光を遮断する円筒形の光遮断ドラム１３９ａにハート型や丸型等のくり抜き部分を設け、該くり抜き部分を緑や青やピンクや白等の色で半透明の半透明フィルム１３９ｂで被覆して形成する。
【０１２６】
前記照明フィルタ装置１３９は、制御回路としては図３に仮想線で示したように、制御装置１１に接続して備える。
該照明フィルタ装置１３９は、制御装置１１からの駆動制御信号に従ってフィルタドラム１３９ｃを回転する。なお、停止時に半透明フィルム１３９ｂが正面中央に位置するように回転制御を行う。
【０１２７】
他の構成要素については、第１の実施形態と同一であるため、同一要素に同一符号を付して詳細な説明を省略する。
以上の構成により、閃光管照明装置１３２による閃光が半透明フィルム１３９ｂに入射する際の入射形状（接触態様）を変化させることができ、利用者の瞳に写りこむ光の形や色を変化させることができる。
【０１２８】
この第４の実施形態の動作としては、全体の動作は第１の実施形態と同一であり、撮像処理が図１３に示す処理フロー図に変わる。
撮像処理を開始すると、制御装置１１はモニタ１４にキャッチライト形状（すなわち瞳にキャッチライトとして写りこむ半透明フィルム１３９ｂの形状）を選択させる画面を表示する（ステップｓ１）。
【０１２９】
利用者によってキャッチライト形状が選択されると、制御装置１１は、フィルタドラム１３９ｃを回転する（ステップｓ２）。
【０１３０】
制御装置１１は、モニタ１４に被写体をプレビュー表示し（ステップｓ３）、所要時間経過となるまで（ステップｓ４）、撮像ボタンの押下を待つ（ステップｓ５）。
制御装置１１はモニタ１４にカウントダウン表示を行い（ステップｓ６）、デジタルカメラ１２で撮像を実行する（ステップｓ７）。
【０１３１】
制御装置１１はモニタ１４に撮像画像を表示して利用者に確認させ（ステップｓ８）、確認ＯＫが利用者に選択されれば撮像処理を終了し（ステップｓ９）、撮り直しが利用者に選択された場合にはステップｓ１にリターンする。
【０１３２】
以上の動作により、利用者は瞳に写すキャッチライトの形状をフィルタドラム１３９ｃから選択した形状とすることができ、アミューズメント性の高い撮像を提供することができる。
【０１３３】
なお、上記写真シール作成機１Ｄの撮像処理の動作は、図１４に示す処理フロー図のように設定しても良い。
この場合、制御装置１１は、まずモニタ１４に被写体をプレビュー表示し（ステップｕ１）、所要時間が経過するまで（ステップｕ２）照明フィルタ装置１３９の回転開始ボタン（モニタ１４上に表示）がタッチされるまで（ステップｕ３）待機する。
【０１３４】
制御装置１１は、フィルタドラム１３９ｃの回転を開始し（ステップｕ４）、被写体をモニタ１４にプレビュー表示する（ステップｕ５）。
【０１３５】
所要時間が経過するか（ステップｕ６）、回転停止ボタン（モニタ上に表示）がタッチされると（ステップｕ７）、フィルタドラム１３９ｃの回転を減速する（ステップｕ８）。
【０１３６】
制御装置はモニタ１４にカウントダウンを表示し（ステップｕ９）、フィルタドラム１３９ｃの回転を停止すると共に、閃光管照明装置１３２を発光させてこれによる照明光を半透明フィルム１３９ｂの形状となし、デジタルカメラ１２で撮像する（ステップｕ１０）。
【０１３７】
制御装置は、モニタに撮像画像を表示して利用者に確認させ（ステップｕ１１）、利用者に確認ＯＫボタン（モニタ１４に表示）がタッチされると撮像処理を終了し（ステップｕ１２）、撮り直しボタン（モニタ１４に表示）がタッチされるとステップｕ１にリターンする。
【０１３８】
以上の動作により、スロットマシンのようにランダムにキャッチライト形状を選択して撮像することができ、撮像後に撮像画像を確認する楽しみを利用者に付与することができる。
【０１３９】
これらの各動作により、照明フィルタ装置１３９によって利用者の瞳に写るキャッチライトの形及び色を変更し、利用者は様々なキャッチライトが瞳に写りこんだ撮像画像を取得することができる。これにより、被写体の写真写りのイメージに大きく影響する瞳を多種多様に演出し、利用者の満足度を向上させることができる。
【０１４０】
また、フィルタドラム１３９ｃを回転してキャッチライトの違いを実現しているため、閃光管照明装置１３２を複数設置して頻繁にメンテナンスすることでの作業員経費や営業機会損失を防止し、利用者を待たせることなく快適な利用環境を提供することができる。
【０１４１】
なお、これら第４の実施形態においても、第１の実施形態と同様、選択されたキャッチライトの種類の違いに対応したコンテンツを編集処理で使用できるように用意しても良い。
【０１４２】
これにより、一台の写真シール作成機１で選択されたキャッチライトに応じて雰囲気が全く異なる写真シールを取得でき、従来では写真シール作成機１が同一機種であれば同様の撮像結果になっていた問題を回避して、リピート客の増加を図ることができる。
【０１４３】
また、選択可能なキャッチライトの形状や色をさらに増加させてもよく、フィルタドラム１３９ｃを形状用の形状ドラム（くり抜き遮光フィルム）と色彩用の色ドラム（半透明カラーフィルム）との２重構造で形成しても良い。この２重構造の場合は、形状ドラムと色ドラムを別のモータ（駆動手段）で別個独立に回転させることにより、利用者は形状と色を独立して自由に選択することができ、選択可能数が増加する。
【０１４４】
また、色彩用の上記色ドラムには、カラーフィルムのほか、透明、白マット状など光透過度の異なるものや、レンチキュラー（細い縞状態等に複数のレンズ部分を設けた透過性のある膜状体）、フレネルレンズなど光拡散度の異なるものを用いることができる。
【０１４５】
また、好ましくはプレビュー時に利用者の瞳部分をモニタまたはその他の表示手段に拡大表示し、利用者がキャッチライトの色と形状をはっきりと確認できるように構成しても良い。
【０１４６】
これにより、利用者は撮像前にキャッチライトの違いによる撮像イメージの違いを正確に認識することができ、イメージ通りの撮像画像が取得できるようになる。
【０１４７】
また、フィルタドラム１３９ｃを左右別々で回転及び停止する構成とし、例えば利用者が２人の場合に、各々が自分側のフィルタドラム１３９ｃを選択可能に構成しても良い。これにより、複数の利用者でもそれぞれが好みのキャッチライトを利用することができ、互いの満足度が向上する。
また、フィルタドラム１３９ｃの回転は、利用者が手動で行う構成としても良い。
【０１４８】
以上に説明した各実施形態１〜４は、大型の照明ユニット１３を備えて撮像空間正面のデッドスペース（後述）を十分に有効活用し、拡散幕１３３の変形、閃光管照明装置１３２の移動、曲面反射板１３５の移動、又は照明フィルタ装置１３９によるキャッチライトの変更を行う構成としている。
【０１４９】
すなわち、従来から撮像空間正面にはカメラ、モニタ、制御装置、印刷装置、及びコイン処理装置を備える構成が多いが、これに最低限必要なスペース（空間）を確保すると、撮像空間の正面にデッドスペース（利用されない無駄な空間）が発生することになっていたが、これを有効活用している。
【０１５０】
これにより、実施形態１、２及び３は、広大な拡散面（拡散幕１３３又は拡散板１３３Ｂ，１３３Ｃ）によって自然な照明（すなわち直接のストロボ発光のように特定部位のみ明るくなるようなコントラストの強い照明ではなく自然に周囲へ減衰していく照明）で撮像可能にした上で、被写体に対する照明に変化を与えることができる。
【０１５１】
また実施形態４については、広いスペースを有効活用して半透明フィルム１３９ｂで形成するキャッチライト形状の多種多様に備えることができ、利用者の瞳に写るキャッチライトを多種多様に演出することができる。
【０１５２】
また、上記各実施形態において、好ましくは拡散幕１３３、拡散板１３３Ｂ及び拡散板１３３Ｃにマット加工された素材を使用することができる。これにより、利用者の肌のテカリを抑え、肌をなめらかに美しく描写する効果を向上することができる。また、光の拡散効率が高いため強い陰が出ることを抑えることもでき、柔らかで美しい描写が可能となる。
【０１５３】
また、表示手段であるモニタ１４は、ＣＲＴディスプレイ、液晶ディスプレイ、鏡、又は、画像を投射するプロジェクタや映写機等の投射手段と上記画像を写像（像を写し出す）するスクリーンやカーテンや筐体等の写像手段とを有する投射写像手段で構成しても良い。上記プロジェクタは、透過型プロジェクタ又は反射型プロジェクタで構成することができる。
【０１５４】
また、例えばＵＳＢケーブルやＩＥＥＥケーブル等のデータ取込インターフェースを筐体４の正面側（又は背面側）に備え、個人用のデジタルカメラやノートパソコン、携帯電話やＰＤＡ等から前記編集処理で使用する画像を取り込み可能に構成しても良い。これにより、例えば過去に撮像したお気に入りの写真画像を使用する、ペットの写真画像を使用する、あるいは、風景写真や花柄イラストを利用する等、利用者が自由な素材画像を利用して編集処理を行うことを可能にでき、利用者の満足度を向上させることができる。
【０１５５】
この発明の構成と、上述の実施形態との対応において、
この発明の写真撮影編集装置は、実施形態の写真シール作成機１（１Ａ，１Ｂ，１Ｃ，１Ｄ）に対応し、
以下同様に、
撮影手段は、デジタルカメラ１２に対応し、
照明手段は、照明ユニット１３に対応し、
編集手段は、入力装置１５に対応し、
出力手段は、プリンタ１８に対応し、
発光体は、閃光管照明装置１３２に対応し、
透過面状体は、拡散幕１３３、拡散板１３３Ｂ、拡散板１３３Ｃ、及び半透明フィルム１３９ｂに対応し、
反射体は、平面反射板１３４、曲面反射板１３５、及び斜平面反射板１３５ａに対応し、
接触態様可変手段は、空気ポンプ１３６、閃光管駆動装置１３７、反射板駆動装置１３８、及び照明フィルタ装置１３９に対応し、
変形手段は、空気ポンプ１３６に対応し、
発光体可動手段は、閃光管駆動装置１３７に対応し、
反射体可動手段は、反射板駆動装置１３８に対応し、
接触態様は、入射角度（方向）、照明範囲、照明位置、及び入射形状に対応し、他の取得手段は、データ取込インターフェースに対応するも、
この発明は、上述の実施形態の構成のみに限定されるものではなく、多くの実施の形態を得ることができる。
【図面の簡単な説明】
【図１】写真シール作成機の外観を示す斜視図。
【図２】照明ユニットの側面断面を示す説明図。
【図３】写真シール作成機の制御回路を示すブロック図。
【図４】写真シール作成機の全体の動作を示す処理フロー図。
【図５】写真シール作成機の撮像処理での動作を示す処理フロー図。
【図６】写真シールシートの平面図。
【図７】第２実施形態の写真シール作成機の側面断面を示す説明図。
【図８】撮像処理での動作を示す処理フロー図。
【図９】写真シール作成機の平面断面を示す説明図。
【図１０】第３実施形態の写真シール作成機の側面断面を示す説明図。
【図１１】写真シール作成機の側面断面を示す説明図。
【図１２】第４実施形態の写真シール作成機の外観を示す斜視図。
【図１３】撮像処理での動作を示す処理フロー図。
【図１４】撮像処理での動作を示す処理フロー図。
【符号の説明】
１，１Ａ，１Ｂ，１Ｃ，１Ｄ…写真シール作成機
５…撮像空間
１２…デジタルカメラ
１３…照明ユニット
１５…入力装置
１８…プリンタ
１３２…閃光管照明装置
１３３…拡散幕
１３３Ｂ…拡散板
１３３Ｃ…拡散板
１３４…平面反射板
１３５…曲面反射板
１３５ａ…斜平面反射板
１３６…空気ポンプ
１３７…閃光管駆動装置
１３８…反射板駆動装置
１３９…照明フィルタ装置
１３９ｂ…半透明フィルム
【図１】
2004246249.tif 000003
【図２】
2004246249.tif 000004
【図３】
2004246249.tif 000005
【図４】
2004246249.tif 000006
【図５】
2004246249.tif 000007
【図６】
2004246249.tif 000008
【図７】
2004246249.tif 000009
【図８】
2004246249.tif 000010
【図９】
2004246249.tif 000011
【図１０】
2004246249.tif 000012
【図１１】
2004246249.tif 000013
【図１２】
2004246249.tif 000014
【図１３】
2004246249.tif 000015
【図１４】
2004246249.tif 000016